(57)【要約】      （修正有）【課題】球受け孔にボールが入り易いだけでなく、一旦、球受け孔に入ったボールを他のボールで簡単にはじき出すことができ、アクション性に優れ、逆転が発生し易く、最後まで勝負の結果が分からず、意外性、ゲーム性に優れると共に、ゲーム盤の表面に描かれた直線上又は曲線上に並んだボールの数や配置によって容易に点数を計算することができ、使用性に優れる遊戯具の提供。【解決手段】ゲーム盤２の先端部と左右両端部の少なくとも三方に配設された枠部３と、ゲーム盤の表面に描かれた複数の直線７及び／又は曲線と、少なくとも１つの直線又は曲線と他の直線又は曲線が交差する位置にボールの直径より大きな直径に形成された複数の段差凹部５と、段差凹部の中心部にボールの直径より小さな直径で形成された球受け孔６或いは球受け凹部と、を備えている。【選択図】図１
0003132382.tif 000002
【実用新案登録請求の範囲】
【請求項１】
先端部側が高く基端部側が低い傾斜面を有するゲーム盤に形成された複数の球受け孔或いは球受け凹部にボールを入れて球受け孔或いは球受け凹部に入った球の数や配列によって得点を競う遊戯具であって、
前記ゲーム盤の前記先端部と左右両端部の少なくとも三方に配設された枠部と、前記ゲーム盤の表面に描かれた複数の直線及び／又は曲線と、少なくとも１つの前記直線又は曲線と他の直線又は曲線が交差する位置に前記ボールの直径よりも大きな直径に形成された複数の段差凹部と、前記段差凹部の中心部に前記ボールの直径よりも小さな直径で形成された前記球受け孔或いは前記球受け凹部と、を備えたことを特徴とする遊戯具。
【請求項２】
前記段差凹部の内周面の少なくとも前記先端部側の一部に傾斜状に形成された面取り部を備えたことを特徴とする請求項１に記載の遊戯具。
【請求項３】
前記面取り部が、前記先端部側の幅が広く、左右両端部の幅が狭い三日月状に形成されていることを特徴とする請求項２に記載の遊戯具。
【請求項４】
（ａ）握り手と、前記握り手に連設して椀状に形成されたボール載置部と、を有する投球具と、（ｂ）前記投球具の前記ボール載置部に載置されるボールと、を備えたことを特徴とする請求項１乃至３の内いずれか１項に記載の遊戯具。
【請求項５】
前記投球具が、前記ボール載置部に穿設され前記ボールを保持する貫通孔を備えたことを特徴とする請求項４に記載の遊戯具。
【考案の詳細な説明】
【技術分野】
【０００１】
本考案は、ゲーム盤に形成された複数の球受け孔或いは球受け凹部に球を入れ、球受け孔或いは球受け凹部に入った球の数や配列によって得点を競う遊戯具に関するものである。
【背景技術】
【０００２】
従来、ゲーム盤に形成された複数の孔部に球を入れて得点を競う様々な遊戯具が提案されている。
例えば（特許文献１）には、ゲーム板面に配設された複数個の円形孔を目掛けてボールを転がし、その的中率を競うゲーム玩具が開示されている。
（特許文献２）には、中心部を高くしたカップ板の中心に形成した穴と、その周囲に形成した複数の穴にボールを入れて得点を競うボール打ちゲーム組用具が開示されている。
また、（特許文献３）には、ゲーム盤の基端部から先端部に配設した複数個の得点計算用球受け穴を狙ってパターでボールを軽打し、球受け穴に入ったボールの数や難易度によって得点数を競う遊戯具が開示されている。
【特許文献１】実用新案登録第３１０１６５８号公報
【特許文献２】特開平９−２４１２７号公報
【特許文献３】実開昭５２−１２８４号公報
【考案の開示】
【考案が解決しようとする課題】
【０００３】
しかしながら上記従来の技術では、以下のような課題を有していた。
（１）（特許文献１）のボールゲーム玩具は、複数個の円形孔が密集して配置されているが、一旦、円形孔に入ったボールは動かないため、円形孔に入ったボールが障害となり、他の円形孔にボールを入れることが困難となるだけでなく、序盤で得点が決まってしまい、逆転や意外性などがなく、ゲーム性に欠けるという課題を有していた。
（２）（特許文献２）のボール打ちゲーム組用具は、中心部を高くしたカップ板の中心に形成した穴の周りを囲むように複数の穴が形成されているので、外周に配置された孔にボールを入れることが極めて困難であり、使用性に欠けるという課題を有していた。
特に、初めに手前側の孔にボールが入ると、その奥にある孔にボールを入れることができず、序盤で得点の予測がついてしまうため、面白みに欠けると共に、得点に差がつき難く、逆転や意外性などがなく、ゲーム性に欠けるという課題を有していた。
（３）（特許文献３）の遊戯具は、球受け穴からカップの中に完全にボールが入ってしまうので、先に打ったボールが邪魔になることはないが、ボールの動きが単調であり、コントロールさえつけば、容易に球受け穴にボールを入れることができ、高得点が出易く、ゲーム性に欠けるという課題を有していた。
【０００４】
本考案は上記従来の課題を解決するもので、球受け孔或いは球受け凹部にボールが入り易いだけでなく、一旦、球受け孔或いは球受け凹部に入ったボールを他のボールで簡単にはじき出すことができ、ゲーム中にボールの配列が目まぐるしく変化してアクション性に優れ、逆転が発生し易く、最後まで勝負の結果が分からず、意外性があり、ゲーム性に優れると共に、ゲーム盤の表面に描かれた直線上或いは曲線上に並んだボールの数や配置によって容易に点数を計算することができ、小さな子供からお年寄りまで一緒に遊ぶことができ、使用性に優れる遊戯具を提供することを目的とする。
【課題を解決するための手段】
【０００５】
上記課題を解決するために本考案の遊戯具は、以下の構成を有している。
本考案の請求項１に記載の遊戯具は、先端部側が高く基端部側が低い傾斜面を有するゲーム盤に形成された複数の球受け孔或いは球受け凹部にボールを入れて球受け孔或いは球受け凹部に入った球の数や配列によって得点を競う遊戯具であって、前記ゲーム盤の前記先端部と左右両端部の少なくとも三方に配設された枠部と、前記ゲーム盤の表面に描かれた複数の直線及び／又は曲線と、少なくとも１つの前記直線又は曲線と他の直線又は曲線が交差する位置に前記ボールの直径よりも大きな直径に形成された複数の段差凹部と、前記段差凹部の中心部に前記ボールの直径よりも小さな直径で形成された前記球受け孔或いは前記球受け凹部と、を備えた構成を有している。
この構成により、以下のような作用を有する。
（１）ゲーム盤の先端部と左右両端部の少なくとも三方に配設された枠部を有するので、ボールがゲーム盤の外に飛び出し難く、枠部に当たって跳ね返ったボールによって様々なアクションが生まれ、ゲーム性に優れ、またボールの回収が容易で取り扱い性に優れる。
（２）ゲーム盤の表面に描かれた複数の直線及び／又は曲線が互いに交差する位置に、球受け孔或いは球受け凹部を形成することにより、球受け孔或いは球受け凹部を狙ってボールを投球し易く、球受け孔或いは球受け凹部に入ったボールの数や配列（役）の確認が容易で、簡便に点数を計算することができ、使用性に優れる。
（３）ボールの直径よりも大きな直径に形成された段差凹部の中心部に、球受け孔或いは球受け凹部を形成することにより、ボールが段差凹部に案内されて球受け孔或いは球受け凹部に入り易く、小さな子供からお年寄りまで気軽に楽しむことができ、ゲーム性に優れる。
（４）球受け孔或いは球受け凹部をボールの直径よりも小さな直径で形成することにより、球受け孔或いは球受け凹部に入ったボールに他のボールを当てることで、容易にボールをはじき出すことができ、ゲーム中にボールの配列が目まぐるしく変化してアクション性に優れ、逆転が発生し易く、最後まで勝負の結果が分からず、意外性があり、ゲーム性に優れる。
【０００６】
ここで、枠部はゲーム盤の先端部と左右両端部の少なくとも三方に配設されるが、ゲーム盤の外周を囲繞するように四方に配設した場合、確実にゲーム盤の基端部側にボールを回収してボールの散らばりを防止することができ、使用性を向上させることができる。
ゲーム盤上の直線や曲線の数や配置は任意に選択することができる。複数の直線を縦、横、斜め（対角線状）に互いに交差するように配置した場合、ビンゴゲームのような要領で、球受け孔或いは球受け凹部に入るボールの数や配列（役）を競うことができ、ゲーム性に優れる。また、直線と曲線を組み合わせた場合、球受け孔或いは球受け凹部の配置をさらに複雑化することができ、ダーツのような要領で得点を計算することにより、逆転が発生し易くなり、最後まで飽きずにゲームを楽しむことができる。
【０００７】
段差凹部とその中心に形成される球受け孔或いは球受け凹部は、少なくとも１つの直線又は曲線と他の直線又は曲線が交差する位置に配置されるが、それ以外にも直線上又は曲線上の任意の位置や直線或いは曲線で囲まれた領域内の任意の位置などに追加して設けることもできる。これにより、球受け孔或いは球受け凹部の配置を複雑化して得点パターンの種類（役）を増やすことができ、逆転が発生し易くなり、ゲーム性を向上させることができる。また、直線や曲線は任意の色に着色することができるが、その色は単色でもよいし、位置によって異なる色に塗り分けてもよい。直線や曲線の色を位置によって塗り分けた場合、１本の直線上又は曲線上に配置される複数の球受け孔或いは球受け凹部をその色単位でグループとして認識することができる。これにより、ボールを投げる際に、役を完成させるための狙い目が分かり易く、また、球受け孔或いは球受け凹部に入ったボールの配列（役）に応じて点数を付ける際に、色を見て容易に得点を計算することができ、使用性に優れる。直線や曲線の色を塗り分ける以外に、球受け孔或いは球受け凹部の近くに点数或いは位置を表すための数字や文字などを表記しても同様の作用が得られる。
尚、曲線の形状は、円弧状のものが好ましく、円や半円以外に、任意の長さの優弧や劣弧を選択することができる。
段差凹部の底部は平坦状に形成することが好ましい。球受け孔或いは球受け凹部に入っているボールが他のボールで弾かれた時に、段差凹部から出易くなるためである。
【０００８】
段差凹部の直径は、ボールの直径の１．３倍〜１．６倍が好ましい。段差凹部の直径が、ボールの直径の１．３倍よりも小さくなるにつれ、ボールが段差凹部に入り難くなる傾向があり、１．６倍よりも大きくなるにつれ、ボールが段差凹部に入り易くなる傾向があり、いずれもゲーム性に欠け、好ましくない。
また、段差凹部の深さは、ボールの硬さや直径などによっても異なるが、ボールの直径の０．０５倍〜０．２倍が好ましい。段差凹部の深さが、ボールの直径の０．０５倍よりも浅くなるにつれ、ボールが段差凹部で止まらずに球受け孔或いは球受け凹部に入り難くなる傾向があり、０．２倍よりも深くなるにつれ、ボールが段差凹部の段差に引っ掛かって段差凹部の外に出難くなり、球受け孔或いは球受け凹部にボールを入れることが困難になる傾向があり、いずれもゲーム性に欠け、好ましくない。例えば、ボールが直径４０ｍｍ程度のゴルフボールの場合は、段差凹部の深さは、３ｍｍ〜４ｍｍが好ましい。
【０００９】
球受け孔或いは球受け凹部の直径は、ボールの硬さや直径などによっても異なるが、ボールの直径の０．７倍〜０．９倍が好ましい。球受け孔或いは球受け凹部の直径が、ボールの直径の０．７倍よりも小さくなるにつれ、ボールが球受け孔或いは球受け凹部に入り難くなると共に、簡単に出易くなる傾向があり、０．９倍よりも大きくなるにつれ、ボールが球受け孔或いは球受け凹部に入り易くなると共に、出難くなる傾向があり、いずれもゲーム性に欠け、好ましくない。例えば、ボールが直径４０ｍｍ程度のゴルフボールの場合は、球受け孔或いは球受け凹部の直径は、３０ｍｍ程度が好ましい。
ゲーム盤の材質が木材の場合、複数のゲーム盤にまとめて球受け孔を穿設することができるので生産性に優れ、好ましい。また、ゲーム盤の材質が合成樹脂の場合は、球受け孔或いは球受け凹部のいずれでも容易に形成することができる。尚、球受け凹部の深さは、ボールが球受け凹部に入った際に、ボールの底部が球受け凹部の底に当たらない深さであればよい。
【００１０】
ゲーム盤の先端部側の底部には高さ調整部を配設することが好ましい。これにより、ゲーム盤の傾斜角度を容易に調整することができ、ゲーム盤上を転がるボールの速度を変化させることができるので、利用者の年齢や上達度などに応じて、ゲームの難易度を選択することができ、汎用性に優れる。高さ調整部としては、ゲーム盤の傾斜角度を調整できるものであればよい。特に、厚さの決まったゴム製や合成樹脂製などの硬質性の板を敷くことにより、左右方向に傾くことなく高さを調整できると共に、板の枚数を変えるだけで簡便に所望の高さに調整することができ、使用性に優れる。
【００１１】
請求項２に記載の考案は、請求項１に記載の遊戯具であって、前記段差凹部の内周面の少なくとも前記先端部側の一部に傾斜状に形成された面取り部を備えた構成を有している。
この構成により、請求項１の作用に加え、以下のような作用を有する。
（１）段差凹部の内周面の少なくとも先端部側の一部に傾斜状に形成された面取り部を有することにより、ゲーム盤の先端部側から転がってきたボールが段差凹部に入り易くなり、ボールが球受け孔或いは球受け凹部に入る確率を高めることができると共に、球受け孔或いは球受け凹部に入っているボールに、ゲーム盤の基端部側から他のボールをぶつけた際に、はじき飛ばされたボールが、面取り部から段差凹部の外に出易くなり、アクション性に優れる。
【００１２】
ここで、面取り部を形成する範囲は、段差凹部やボールの直径などに応じて適宜、選択することができ、その長さは、劣弧、半円、優弧、円のいずれでもよい。また、面取り部は段差凹部の円周方向に連続的に形成する以外に、断続的に形成してもよい。尚、面取り部の幅は、必ずしもその周方向に一様である必要はない。特に面取り部を段差凹部の内周面の全周に渡って形成する場合、あらゆる方向から転がってきたボールが段差凹部の中に入り易くなるのを防ぐために、場所によって面取り部の幅を変化させ、入り易い場所と入り難い場所を作ってもよい。
【００１３】
請求項３に記載の考案は、請求項２に記載の遊戯具であって、前記面取り部が、前記先端部側の幅が広く、左右両端部の幅が狭い三日月状に形成されている構成を有している。
この構成により、請求項２の作用に加え、以下のような作用を有する。
（１）面取り部が、先端部側の幅が広く、左右両端部の幅が狭い三日月状に形成されていることにより、面取り部の幅が広い段差凹部の先端部側からはボールが出入りし易く、面取り部の幅が狭い段差凹部の左右両端部からはボールが出入りし難くなって、ボールのアクション性を向上させることができる。
【００１４】
ここで、ゲーム盤が、先端部側の球受け部と基端部側の球回収部に分割されて形成され、球受け部と球回収部を回動自在に保持する回動連結部を備えている場合、不使用時にゲーム盤を容易に半分に折り畳むことができ、収納スペースを低減でき、取り扱い性、コンパクト性に優れると共に、運搬時に容易に持ち運ぶことができ、搬送性に優れる。尚、このとき、ゲーム盤の左右両端部に配設される枠部についても、球受け部と球回収部の分割位置に合わせて分割される。
球受け部には段差凹部と球受け孔或いは球受け凹部を配置することができ、球受け孔に入らなかったボールは球回収部で回収することができる。また、投球されたボールは、球受け部又は球回収部に落下してから球受け孔或いは球受け凹部に向かって転がるが、投球時のボールの速度や角度によって、落下地点からの転がり量が変化するので、落下地点から球受け孔或いは球受け凹部までの距離を考えながら、力を調整して投球を行う必要があり、ゲーム性に優れる。
尚、複数の球受け孔或いは球受け凹部を結ぶ直線及び／又は曲線を球回収部の表面まで延長して描いた場合、その直線及び／又は曲線を目安にして球受け孔或いは球受け凹部を狙い易くなり、使用性を向上させることができる。
【００１５】
回動連結部としては、球受け部と球回収部を回動自在に保持することができるものであればよいが、蝶番が好適に用いられる。特に、回動連結部として、軸と羽根を分割できる抜差し蝶番やヒンジピンなどをゲーム盤の底部や枠部の外側部に配設し、球受け部と球回収部を着脱自在に保持できるようにした場合、必要に応じて簡便に球受け部と球回収部を分離させることができる。これにより、不使用時や運搬時には、ゲーム盤を球受け部と球回収部に完全に分離して容易に収納や運搬を行うことができ、取り扱い性、汎用性に優れる。また、球受け部と球回収部を組み合わせることにより、大きなサイズのゲーム盤を形成することができ、生産性に優れる。
【００１６】
請求項４に記載の考案は、請求項１乃至３の内いずれか１項に記載の遊戯具であって、（ａ）握り手と、前記握り手に連設して椀状に形成されたボール載置部と、を有する投球具と、（ｂ）前記投球具の前記ボール載置部に載置されるボールと、を備えた構成を有している。
この構成により、請求項１乃至３の内いずれか１項の作用に加え、以下のような作用を有する。
（１）ボール載置部にボールを載置した状態で握り手を手で握り、投球具を下方から斜め上方に振り上げるようにして、簡便にボールをゲーム盤に向かって投げることができ、誰でも同じ条件で投球を行うことができるので、公平性に優れる。
（２）ボール載置部が椀状に形成されていることにより、投球時にボールが落下しないようにバランスを取る必要があり、ゲーム性に優れる。
【００１７】
ここで、ボール載置部の外径は、ボールの直径によっても異なるが、ボールの直径の１．３倍〜１．６倍が好ましい。ボール載置部の外径が、ボールの直径の１．３倍よりも小さくなるにつれ、ボールを安定して保持することが困難になる傾向があり、１．６倍よりも大きくなるにつれ、投球時にボールがボール載置部の縁に引っ掛かり易くなる傾向があり、いずれも使用性に欠け、好ましくない。例えば、ボールが直径４０ｍｍ程度のゴルフボールの場合は、ボール載置部の外径は６０ｍｍ程度が好ましい。また、このときの投球具の全長は、ゲーム盤との距離や競技者の体格などにもよるが、１２０ｍｍ〜２００ｍｍが好ましい。投球具の全長が１２０ｍｍより短くなるにつれ、握り手が短くなり取り扱い性が低下し易くなる傾向があり、２００ｍｍより長くなるにつれ、ボールの飛び出す位置がゲーム盤に近づき過ぎて面白みに欠ける傾向があり、いずれも好ましくない。例えば、子供用に１２０ｍｍ〜１７０ｍｍ、大人用に１５０ｍｍ〜２００ｍｍというように、複数の寸法の投球具を用意してもよい。
【００１８】
請求項５に記載の考案は、請求項４に記載の遊戯具であって、前記投球具が、前記ボール載置部に穿設され前記ボールを保持する貫通孔を備えた構成を有している。
この構成により、請求項４の作用に加え、以下のような作用を有する。
（１）ボール載置部に貫通孔を穿設することにより、ボールを安定させて保持することができ、投球時にコントロールをつけ易く、小さな子供からお年寄りまで誰でも簡便にゲームを楽しむことができると共に、ボール載置部を小型化することができ、取扱い性に優れる。
【００１９】
ここで、貫通孔の直径は、ボールの直径によっても異なるが、ボールの直径の０．４倍〜０．８倍が好ましい。貫通孔の直径が、ボールの直径の０．４倍よりも小さくなるにつれ、ボールを安定して保持することが困難になる傾向があり、０．８倍よりも大きくなるにつれ、投球時にボールが貫通孔から抜け難くなる傾向があり、いずれも使用性に欠け、好ましくない。例えば、ボールが直径４０ｍｍ程度のゴルフボールの場合は、貫通孔の直径は２０ｍｍ程度が好ましい。
【考案の効果】
【００２０】
以上のように、本考案の遊戯具によれば、以下のような有利な効果が得られる。
請求項１に記載の考案によれば、以下のような効果を有する。
（１）ゲーム盤の表面に描かれた複数の直線及び／又は曲線が互いに交差する位置に、球受け孔或いは球受け凹部を形成することにより、ボールを投球する際に、球受け孔或いは球受け凹部に狙いが絞り易くなるだけでなく、球受け孔或いは球受け凹部に入ったボールの数や配列（役）の確認が容易で、簡便に点数を計算することができる使用性に優れた遊戯具を提供することができる。
（２）ボールの直径よりも小さな直径で形成された球受け孔或いは球受け凹部の外周に、ボールの直径よりも大きな直径の段差凹部を形成することにより、ボールを投球する際の的が大きくなって狙いがつけ易くなると共に、ボールが段差凹部に案内されて球受け孔或いは球受け凹部に入り易くなり、小さな子供からお年寄りまで気軽に楽しむことができるゲーム性に優れた遊戯具を提供することができる。
（３）球受け孔或いは球受け凹部をボールの直径よりも小さな直径で形成することにより、球受け孔或いは球受け凹部に入ったボールに他のボールを当ててはじき出すことができるので、ゲーム中にボールの配列が目まぐるしく変化してアクション性に優れ、逆転が発生し易く、最後まで勝負の結果が分からず、意外性があり、ゲーム性に優れた遊戯具を提供することができる。
【００２１】
請求項２に記載の考案によれば、請求項１の効果に加え、以下のような効果を有する。（１）段差凹部の内周面の少なくとも先端部側の一部に傾斜状の面取り部を形成することにより、ゲーム盤の先端部側から転がってきたボールが段差凹部に入り易くなり、ボールが球受け孔或いは球受け凹部に入る確率を高めることができると共に、ゲーム盤の基端部側から段差凹部に入ったボールやそのボールによって球受け孔或いは球受け凹部からはじき飛ばされたボールを面取り部から段差凹部の外に出易くしてアクション性を高めることができるゲーム性に優れた遊戯具を提供することができる。
【００２２】
請求項３に記載の考案によれば、請求項２の効果に加え、以下のような効果を有する。
（１）段差凹部の内周面に、先端部側の幅が広く、左右両端部の幅が狭い三日月状の面取り部を形成することにより、面取り部の幅が広い段差凹部の先端部側からはボールが出入りし易く、面取り部の幅が狭い段差凹部の左右両端部からはボールが出入りし難い、ボールのアクション性に優れた遊戯具を提供することができる。
【００２３】
請求項４に記載の考案によれば、請求項１乃至３の内いずれか１項の効果に加え、以下のような効果を有する。
（１）競技者が統一された投球具とボールを使用して同じ条件で投球を行うことができ、公平性に優れた遊戯具を提供することができる。
【００２４】
請求項５に記載の考案によれば、請求項４の効果に加え、以下のような効果を有する。
（１）ボール載置部に穿設された貫通孔によってボールを安定させて保持することができるので、投球時にコントロールをつけ易く、小さな子供からお年寄りまで誰でも簡便にゲームを楽しむことができると共に、ボール載置部を小型化することができる汎用性、取扱い性に優れた遊戯具を提供することができる。
【考案を実施するための最良の形態】
【００２５】
以下、本考案の実施の形態における遊戯具について、以下図面を参照しながら説明する。
（実施の形態１）
図１は実施の形態１における遊戯具の斜視図であり、図２（ａ）は実施の形態１における遊戯具の平面図であり、図２（ｂ）は実施の形態１における遊戯具の要部断面図である。
図１及び図２中、１は実施の形態１における遊戯具、２は先端部側の球受け部２ａと基端部側の球回収部２ｂに分割されて形成された遊戯具１のゲーム盤、３はゲーム盤２の両側部と基端部側の端部に配設された遊戯具１の枠部、３ａはゲーム盤２の先端部側の端部に配設されゲーム盤２の先端部側が高く基端部側が低くなるように傾斜させる遊戯具１の脚部兼用枠部、４はゲーム盤２の先端部側の底部に脚部兼用枠部３ａの内側に沿って配設された遊戯具１の脚部補強部、４ａは正方形状に形成された硬質ゴム製の板材を脚部兼用枠部３ａ及び脚部補強部４の両端部に複数枚重ねて形成された遊戯具１の高さ調整部、５はゲーム盤２の球受け部２ａ側の表面にボール１０の直径よりも大きな直径で形成された１３箇所の段差凹部、５ａは段差凹部５の底部、６は各々の段差凹部５の底部５ａの中央部にボール１０の直径よりも小さな直径で形成された球受け孔、７は前後、左右、斜めに並んだ複数の球受け孔６を結ぶようにゲーム盤２の表面に描かれた複数の直線、８は球受け部２ａと球回収部２ｂの連結部の裏面に配設され球受け部２ａと球回収部２ｂを回動自在及び着脱自在に保持する蝶番を用いた遊戯具１の回動連結部（図２参照）、８ａは回動連結部８の管部分（図示せず）に挿抜自在に配設され球受け部２ａと球回収部２ｂを着脱するためのＬ字型のヒンジピン（図２参照）である。
【００２６】
ゲーム盤２の先端部側の底部に脚部兼用枠部３ａの内側に沿って脚部補強部４を配設したことにより、ゲーム盤２の底部と脚部兼用枠部３ａの間を確実かつ強固に固定することができ、脚部兼用枠部３ａにボールが当たっても、脚部兼用枠部３ａを保持することができ、耐久性に優れる。
高さ調整部４ａとして、ゲーム盤２の先端部側の脚部兼用枠部３ａ及び脚部補強部４の下に板厚の等しい板材を複数枚敷いているので、板材の枚数を変えるだけで、ゲーム盤２の傾斜角度を容易に調整することができ、ゲーム盤２上を転がるボール１０の速度を変化させることができるので、利用者の年齢や上達度などに応じて、ゲームの難易度を選択することができ、汎用性に優れる。
段差凹部５の底部５ａは平坦状に形成することにより、球受け孔６に入っているボールが他のボールで弾かれた時に、球受け孔６に戻ることなく、スムーズに段差凹部５の外に出易くし、ゲームの行方を不明にし、競技者の競争心をあおるようにしている。
【００２７】
ゲーム盤２の左右両端部に配設される枠部３についても、球受け部２ａと球回収部２ｂの分割位置に合わせて分割した。
球受け部２ａに段差凹部５と球受け孔６を配置することにより、球受け孔６に入らなかったボール１０を球回収部２ｂで回収することができる。また、投球されたボール１０は、球受け部２ａ又は球回収部２ｂに落下してから球受け孔６に向かって転がるが、投球時のボール１０の速度や角度によって、落下地点からの転がり量が変化するので、落下地点から球受け孔６までの距離を考えながら、力を調整して投球を行う必要があり、ゲーム性に優れる。
直線７は任意の色に着色することができるが、その色は単色でもよいし、配点が分かるように、縦、横、斜めなどの直線７の向きによって異なる色に塗り分けてもよい。直線７の色を塗り分けた場合、ボール１０を投げる際に、役を完成させるための球受け孔６の狙い目が分かり易く、使用性に優れる。また、予め、直線７の色に応じて点数を決めておけば、球受け孔６に入ったボール１０の配列（役）に応じて点数を付ける際に、色を見て容易に得点を計算することができ、使用性に優れる。尚、直線７の色を塗り分ける以外に、球受け孔６の近くに点数或いは位置を表すための数字や文字などを表記しても同様の作用が得られる。
【００２８】
次に、段差凹部及び球受け孔の詳細について説明する。
図３（ａ）は実施の形態１における遊戯具の段差凹部及び球受け孔の拡大平面図であり、図３（ｂ）は図３（ａ）のＡ−Ａ線矢視断面図である。
図３中、５ｂは段差凹部５の内周面の先端部側の略半周に渡って傾斜状に形成された面取り部である。尚、面取り部５ｂは、平面視で先端部側の幅が広く、左右両端部の幅が狭い三日月状に形成した。
本実施の形態では、直径がゴルフボールと同等の４０ｍｍ〜４２ｍｍのボール１０を使用した。このとき、球受け部２ａの板厚１２ｍｍ、段差凹部５の直径６０ｍｍ、段差凹部５の深さ３ｍｍ〜４ｍｍ、面取り部５ｂの最大幅７ｍｍ〜８ｍｍ、球受け孔６の直径３０ｍｍとした。これにより、ボール１０を弾き飛ばし難くし、ゲームを面白くしている。
尚、各部の寸法は本実施の形態に限定されるものではなく、ボール１０の硬さや直径などにより、適宜、選択することができる。
【００２９】
本実施の形態では、１３箇所の段差凹部５及び球受け孔６を図１及び図２に示したように配置したが、段差凹部５と球受け孔６及び直線７の数や配置は、本実施の形態に限定されるものではなく、適宜、選択することができる。
尚、本実施の形態では、ゲーム盤２の球受け部２ａを貫通するように球受け孔６を形成した。ゲーム盤２の材質が木材の場合、複数枚の球受け部２ａを重ねて同時に球受け孔６を加工することができ、生産性に優れるためである。尚、ゲーム盤２の材質が合成樹脂の場合は、球受け孔６の代わりに球受け凹部を形成してもよい。
【００３０】
次に、本考案の実施の形態における遊戯具と一緒に使用する投球具について説明する。
図４（ａ）は、実施の形態１における遊戯具と一緒に使用する投球具の平面図であり、図４（ｂ）は、実施の形態１における遊戯具と一緒に使用する投球具の要部断面図である。
図４中、２０は実施の形態１における遊戯具１と一緒に使用する投球具、２０ａは投球具２０の握り手、２０ｂは椀状に形成され中央部にボール１０を保持する貫通孔２０ｃが穿設された投球具２０のボール載置部である。
本実施の形態では、直径がゴルフボールと同等の４０ｍｍ〜４２ｍｍのボール１０に合わせて、ボール載置部２０ｂの外径６０ｍｍ、貫通孔２０ｃの直径２０ｍｍ、投球具２０の全長１３０ｍｍとした。投球具２０の全長が１３０ｍｍより長くなると、ゲーム盤２に近づき過ぎて面白みに欠けると共に、投球具２０の先端が、ゲーム盤２の基端部側に当たり易くなったり、床に引っ掛かり易くなったりして、投球具２０やゲーム盤２が破損する可能性があるためである。
【００３１】
以上のように構成された本考案の実施の形態１における遊戯具及び投球具の使用方法について説明する。
使用者は、図４（ｂ）に示したように、ボール載置部２０ｂの貫通孔２０ｃにボール１０を保持した状態で握り手２０ａを手で握り、投球具２０を下から斜め上方に振り上げるようにして、ボール１０を遊戯具１のゲーム盤２に向かって投げることができる。
図１及び図２に示したゲーム盤２の球受け部２ａ或いは球回収部２ｂに着地したボール１０は、その勢いによってゲーム盤２上を先端部側に向かって転がる。ボール１０は直接、段差凹部５又は球受け孔６に入るか、枠部３や脚部兼用枠部３ａに当たって跳ね返り、段差凹部５又は球受け孔６に入るか、そのままゲーム盤２上を基端部側に向かって転がって球回収部２ｂに戻って来る。
複数個のボール１０を投球し、球受け孔６に入ったボール１０の数や配列（役）によって、得点を競うことができる。
ボール１０を色分けすることにより、チームに分かれて得点を競うことができる。また、各チームのメンバーが交代で交互に投球することにより、相手チームのボール１０を球受け孔６からはじき出すことなどができ、ゲーム中にボール１０の配列が目まぐるしく変化するので、最後までゲームを楽しむことができる。
尚、投球具２０を使用することにより、誰でも同じ条件で投球を行うことができ、公平性に優れる。
【００３２】
以上のように実施の形態１における遊戯具は構成されているので、以下の作用を有する。
（１）ゲーム盤２の外周を囲繞するように枠部３及び脚部兼用枠部３ａを有するので、ボール１０がゲーム盤２の外に飛び出し難く、枠部３や脚部兼用枠部３ａに当たって跳ね返ったボール１０によって様々なアクションが生まれ、ゲーム性に優れ、またボール１０の回収が容易で取り扱い性に優れる。
（２）ゲーム盤２の表面に描かれた複数の直線７が互いに交差する位置に、球受け孔６を形成することにより、球受け孔６を狙ってボール１０を投球し易く、球受け孔６に入ったボール１０の数や配列（役）の確認が容易で、簡便に点数を計算することができ、使用性に優れる。
（３）ボール１０の直径よりも大きな直径に形成された段差凹部５の中心部に、球受け孔６を形成することにより、ボール１０が段差凹部５に案内されて球受け孔６に入り易く、小さな子供からお年寄りまで気軽に楽しむことができ、ゲーム性に優れる。
（４）球受け孔６をボール１０の直径よりも小さな直径で形成することにより、球受け孔６に入ったボール１０に他のボール１０を当てることで、容易にボール１０をはじき出すことができ、ゲーム中にボール１０の配列が目まぐるしく変化してアクション性に優れ、逆転が発生し易く、最後まで勝負の結果が分からず、意外性があり、ゲーム性に優れる。
（５）段差凹部５の内周面の先端部側の略半周に渡って傾斜状に形成された面取り部５ｂを有することにより、ゲーム盤２の先端部側から転がってきたボール１０が段差凹部５に入り易くなり、ボール１０が球受け孔６に入る確率を高めることができると共に、球受け孔６に入っているボール１０に、ゲーム盤２の基端部側から他のボール１０をぶつけた際に、先端部側にはじき飛ばされたボール１０が、面取り部５ｂから段差凹部５の外に出易くなり、アクション性に優れる。
（６）面取り部５ｂが、先端部側の幅が広く、左右両端部の幅が狭い三日月状に形成されていることにより、面取り部５ｂの幅が広い段差凹部５の先端部側からはボール１０が出入りし易く、面取り部５ｂの幅が狭い段差凹部５の左右両端部からはボール１０が出入りし難くなって、ボール１０のアクション性を向上させることができる。
（７）ゲーム盤２が、先端部側の球受け部２ａと基端部側の球回収部２ｂに分割されて形成され、球受け部２ａと球回収部２ｂを回動自在及び着脱自在に保持する回動連結部８を有することにより、球受け部２ａと球回収部２ｂを分離させずに半分に折り畳むだけでなく、必要に応じて簡便に球受け部２ａと球回収部２ｂを分離させることができ、収納スペースを低減したり、容易に持ち運んだりすることができ、コンパクト性、取り扱い性、搬送性に優れる。
（８）回動連結部８の管部分に挿抜自在に配設されたヒンジピン８ａを抜き挿しするだけで、容易に回動連結部８を分割したり、連結したりでき、球受け部２ａと球回収部２ｂの着脱作業性に優れる。
（９）球受け部２ａと球回収部２ｂを組み合わせることにより、大きなサイズのゲーム盤２を形成することができ、生産性に優れる。
（１０）ボール載置部２０ｂにボール１０を載置した状態で握り手２０ａを手で握り、投球具２０を下方から斜め上方に振り上げるようにして、簡便にボール１０をゲーム盤２に向かって投げることができ、誰でも同じ条件で投球を行うことができるので、公平性に優れる。
（１１）ボール載置部２０ｂが椀状に形成されていることにより、投球時にボール１０が落下しないようにバランスを取る必要があり、ゲーム性に優れる。
（１２）ボール載置部２０ｂに貫通孔２０ｃが穿設されていることにより、ボール１０を安定させて保持することができ、投球時にコントロールをつけ易く、小さな子供からお年寄りまで誰でも簡便にゲームを楽しむことができると共に、ボール載置部２０ｂを小型化することができ、取扱い性に優れる。
【００３３】
（実施の形態２）
図５は実施の形態２における遊戯具の平面図である。尚、実施の形態１と同様のものは同じ符号を付して説明を省略する。
図５において、実施の形態２における遊戯具が実施の形態１と異なるのは、段差凹部５及び球受け孔６の配置と、複数の球受け孔６の間を直線７だけでなく円弧状の曲線７ａで結んでいる点である。
曲線７ａも実施の形態１で説明した直線７と同様に着色することができる。
その他の構成や使用方法は実施の形態１と同様であるので、説明を省略する。
尚、直線７と曲線７ａを組み合わせることにより、球受け孔６の配置やそれに伴う得点の計算方法を複雑化することができ、高得点による逆転を発生し易くすることができ、最後まで飽きずにゲームを楽しむことができる。
【００３４】
段差凹部５とその中心に形成される球受け孔６は、少なくとも１つの直線７又は曲線７ａと他の直線７又は曲線７ａが交差する位置に配置されるが、それ以外にも直線７上又は曲線７ａ上の任意の位置や直線７或いは曲線７ａで囲まれた領域内の任意の位置などに追加して設けることもできる。これにより、球受け孔６の配置を複雑化して得点パターンの種類（役）を増やすことができ、逆転が発生し易くなり、ゲーム性を向上させることができる。
また、複数の球受け孔６を結ぶ直線７及び／又は曲線７ａを球回収部２ｂの表面まで延長して描いた場合、その直線７及び／又は曲線７ａを目安にして球受け孔６を狙い易くなり、使用性を向上させることができる。
【００３５】
以上のように実施の形態２における遊戯具は構成されているので、実施の形態１で得られる作用と同様の作用を有する。
【産業上の利用可能性】
【００３６】
本考案は、球受け孔或いは球受け凹部にボールが入り易いだけでなく、一旦、球受け孔或いは球受け凹部に入ったボールを他のボールで簡単にはじき出すことができ、ゲーム中にボールの配列が目まぐるしく変化してアクション性に優れ、逆転が発生し易く、最後まで勝負の結果が分からず、意外性があり、ゲーム性に優れると共に、ゲーム盤の表面に描かれた直線上或いは曲線上に並んだボールの数や配置によって容易に点数を計算することができ、小さな子供からお年寄りまで一緒に遊ぶことができ、使用性に優れる遊戯具を提供するもので、一般家庭や各種施設などにおいて誰でも手軽に利用することができる遊戯具の普及を図ることができる。
【図面の簡単な説明】
【００３７】
【図１】実施の形態１における遊戯具の斜視図
【図２】（ａ）実施の形態１における遊戯具の平面図（ｂ）実施の形態１における遊戯具の要部断面図
【図３】（ａ）実施の形態１における遊戯具の段差凹部及び球受け孔の拡大平面図（ｂ）図３（ａ）のＡ−Ａ線矢視断面図
【図４】（ａ）実施の形態１における遊戯具と一緒に使用する投球具の平面図（ｂ）実施の形態１における遊戯具と一緒に使用する投球具の要部断面図
【図５】実施の形態２における遊戯具の平面図
【符号の説明】
【００３８】
１  遊戯具
２  ゲーム盤
２ａ  球受け部
２ｂ  球回収部
３  枠部
３ａ  脚部兼用枠部
４  脚部補強部
４ａ  高さ調整部
５  段差凹部
５ａ  底部
５ｂ  面取り部
６  球受け孔
７  直線
７ａ  曲線
８  回動連結部
８ａ  ヒンジピン
１０  ボール
２０  投球具
２０ａ  握り手
２０ｂ  ボール載置部
２０ｃ  貫通孔
【図１】
0003132382.tif 000003
【図２】
0003132382.tif 000004
【図３】
0003132382.tif 000005
【図４】
0003132382.tif 000006
【図５】
0003132382.tif 000007